Podtech/llm-jp-corpus-v4-ja_patent huggingface dataset:
【手続補正書】
【提出日】平成16年6月4日(2004.6.4)
【手続補正１】
【補正対象書類名】明細書
【補正対象項目名】請求項５
【補正方法】変更
【補正の内容】
【請求項５】  前記ネットワーク装置が、
（ａ）前記データキャラクタを受け取り、どのクロック速度が前記ビットストリームのデータ転送速度と対応するかを決定し、同ビットストリームのデータ転送速度を示す制御信号を生成するパターン認識ロジック、及び、
（ｂ）前記パターン認識ロジックと前記デシリアライザに接続されたデシリアライザ制御回路であって、同パターン認識ロジックから制御信号を受け取り、同デシリアライザにクロック制御信号を送り、同デシリアライザ制御回路からの制御信号に従って同デシリアライザのクロック速度を設定するデシリアライザ制御回路を有する請求項１に記載のポート。
【手続補正２】
【補正対象書類名】明細書
【補正対象項目名】請求項９
【補正方法】変更
【補正の内容】
【請求項９】  前記ファイバ・チャネルのプロトコル装置が、
（ａ）前記データキャラクタを受け取り、どのクロック速度が前記ビットストリームのデータ転送速度と対応するかを決定し、同ビットストリームのデータ転送速度を示す制御信号を生成するパターン認識ロジック、及び
（ｂ）前記パターン認識ロジックと前記デシリアライザに接続されたデシリアライザ制御回路であって、同パターン認識ロジックから制御信号を受け取り、同デシリアライザにクロック制御信号を送り、同デシリアライザ制御回路からの制御信号に従って同デシリアライザのクロック速度を設定するデシリアライザ制御回路を有する請求項７に記載のポート。
【手続補正書】
【提出日】平成15年6月6日(2003.6.6)
【手続補正１】
【補正対象書類名】明細書
【補正対象項目名】特許請求の範囲
【補正方法】変更
【補正の内容】
【特許請求の範囲】
【請求項１】
歯の位置合わせを達成するかまたは強化するために少なくとも１つの歯の造作に取り外し可能に装着できる、歯の位置合わせ器具を製造するための方法であって、該方法は、以下：
歯の造作の型枠を提供する工程であって、ここで該型枠は、該型枠の表面上に取り付けられたかまたは形成された、少なくとも１つ以上の装着デバイスを有する、工程；
該装着デバイスを備えた該型枠の上で、該歯の器具を形成する工程；および
該型枠から該歯の器具を取り外す工程であって、ここで該器具は、該装着デバイスに対応する受け部、および該型枠の歯の造作に対応する歯受容腔を有する、工程、
該歯の造作の型枠において付加的な構造を提供する工程であって、ここで該構造は、所望の位置において該器具の一部を区別するためのガイドを提供する、工程；
該構造により区別された該器具の一部を変更する工程、
を包含する、方法。
【請求項２】
請求項１に記載の方法であって、該方法は、以下：
前記歯の造作の型枠上に、付加的な構造を提供する工程であって、前記器具が、該構造に対応する突出を有する、工程；および
該突出を利用して該型枠から該器具を取り外す工程であって、該突出により取り外しが援助される、工程
をさらに包含する、方法。
【請求項３】
請求項１に記載の方法であって、前記変更する工程は、前記構造によって区別された前記器具の一部を切り取る工程であって、これにより、下にある歯の造作を露出させるための窓が形成される、工程を包含する、方法。
【請求項４】
デジタルモデルを作成する方法であって、該方法は、以下；
少なくとも１つの歯の造作のデジタルモデルを提供する工程；
少なくとも１つの装着デバイスのデジタルモデルを提供する工程；および
複合コンピューター化モデルを作成するために、該歯の造作のデジタルモデル上で、該装着デバイスのデジタルモデルを位置合わせする工程
を包含する、方法。
【請求項５】
歯の位置合わせを達成するかまたは強化するために少なくとも１つの歯の造作に対して取り外し可能に装着可能である、歯の位置合わせ器具を製造する方法であって、該方法は、以下：
少なくとも１つの装着デバイスを有している少なくとも１つの歯の造作の、複合デジタルモデルを提供する工程；
該複合デジタルモデルから型枠を作製する工程であって、ここで該型枠は、その表面上に該装着デバイスを有する、工程；
該型枠の上に、歯の位置合わせ器具を形成する工程；ならびに
該型枠から該器具を取り外す工程であって、ここで該器具は、該装着デバイスに対応する受け部、および該歯の造作に対応する腔を有する、工程
を包含する、方法。
【請求項６】
請求項５に記載の方法であって、ここで該方法は、以下：
付加的な構造のデジタルモデルを提供する工程；
前記歯の造作のデジタルモデル上で、該付加的な構造のデジタルモデルを位置合わせする工程であって、ここで前記器具が、該構造に対応する突出を有する、工程；および
該突出を利用して前記型枠から該器具を取り外す工程であって、これにより取り外しが援助される、工程
をさらに包含する、方法。
【請求項７】
請求項５に記載の方法であって、ここで該方法は、以下：
付加的な構造のデジタルモデルを提供する工程；
前記歯の造作のデジタルモデル上で、該付加的な構造のデジタルモデルを位置合わせする工程であって、ここで該構造が、所望する位置において前記器具の一部を区別するためのガイドを提供する、工程；および
該構造により区別された該器具の一部を変更する工程、
をさらに包含する、方法。
【請求項８】
請求項７に記載の方法であって、前記変更する工程が、前記構造により区別された前記器具の一部を切り取る工程であって、これにより、下にある歯の造作を露出させるための窓が形成される工程、を包含する、方法。
【請求項９】
歯を移動する方法であって、該方法は、以下：
歯の造作上に装着デバイスを固定する工程；
該歯の造作上に、第１の歯の位置合わせ器具を取り外し可能に位置合わせする工程であって、該器具は、該歯の造作を受容する腔を有する弾性ポリマーシェル、および該装着デバイスを受容する受け部を備える、工程；ならびに
該歯の造作上に、少なくとも第２の、歯の位置合わせ器具を取り外し可能に位置合わせする工程であって、該第２の位置合わせ器具は、該歯の造作を受容する腔を有する弾性ポリマーシェル、および該装着デバイスを受容する受け部を備え、該受け部および該腔の少なくとも１つは、該第１の位置合わせ器具とは異なる外形を有する、工程；
を包含する、方法。
【請求項１０】
前記器具が、前記装着デバイスに整復力を適用する、請求項９に記載の方法。
【請求項１１】
前記器具が、前記装着デバイスを用いて固定され、そして該器具が、別の歯の造作に整復力を適用する、請求項９に記載の方法。
【請求項１２】
請求項９に記載の方法であって、該方法はさらに、以下：
前記歯の造作上に、少なくとも第３の、歯の位置合わせ器具を取り外し可能に位置合わせする工程であって、ここで該第３の歯の位置合わせ器具が、該歯の造作を受容する腔を有する弾性シェル、および前記装着デバイスを受容する受け部を備え、ここで該容器および該腔の少なくとも１つが、前記第１の歯の位置合わせ器具および前記第２の歯の位置合わせ器具とは異なる外形を有する、工程、
を包含する、方法。
【請求項１３】
受け部を有する少なくとも５つの歯の位置合わせ器具が、前記歯の造作上に、連続的に配置される、請求項１２に記載の方法。
【請求項１４】
受け部を有する少なくとも１０個の歯の位置合わせ器具が、前記歯の造作上に、連続的に配置される、請求項１２に記載の方法。
【請求項１５】
前記歯の位置合わせ器具が、前記装着デバイスに押し出す力を適用する、請求項９に記載の方法。
【請求項１６】
前記歯の位置合わせ器具が、前記装着デバイスに回転力を適用する、請求項９に記載の方法。
【手続補正書】
【提出日】平成16年4月7日(2004.4.7)
【手続補正１】
【補正対象書類名】明細書
【補正対象項目名】特許請求の範囲
【補正方法】変更
【補正の内容】
【特許請求の範囲】
【請求項１】  プロモーターに操作可能に連結された第ＶＩＩＩ因子の活性を有するタンパク質をコードする配列を含有するCRL-12568としてアメリカン  タイプ  カルチャー  コレクション（ American Type Culture Collection ）に寄託されている細胞を、該タンパク質を発現するのに十分な条件下で成長させ、次いで該タンパク質を単離することを特徴とする、第ＶＩＩＩ因子の活性を有するタンパク質の生産方法
【請求項２】 該タンパク質が配列番号１に表されるアミノ酸配列を有することを特徴とする請求項１に記載の方法。
【請求項３】 該細胞を血漿由来のタンパク質を含まない培地で成長させた場合に、該タンパク質が少なくとも２μＵ／ｃ／ｄのレベルで発現されることを特徴とする請求項１または２に記載の方法。
【請求項４】 該タンパク質が少なくとも４μＵ／ｃ／ｄのレベルで発現されることを特徴とする請求項３記載の方法。
【請求項５】 該タンパク質が少なくとも５μＵ／ｃ／ｄのレベルで発現されることを特徴とする請求項４記載の方法。
【請求項６】 第ＶＩＩＩ因子の活性を有するタンパク質を発現するCRL-12568としてアメリカン  タイプ  カルチャー  コレクション（ American Type Culture Collection ）に寄託されている細胞から得ることのできるヒト細胞株。
【請求項７】 Ｂドメインが欠失した第ＶＩＩＩ因子を発現することを特徴とする請求項６記載のヒト細胞株。
【請求項８】 CRL-12568としてアメリカン  タイプ  カルチャー  コレクション（ American Type Culture Collection ）に寄託されている細胞。
【手続補正書】
【提出日】平成15年5月13日(2003.5.13)
【手続補正１】
【補正対象書類名】明細書
【補正対象項目名】特許請求の範囲
【補正方法】変更
【補正の内容】
【特許請求の範囲】
【請求項１】
動物に乾癬様症候群を誘起するための方法であって、
ドナー動物に由来する精製したCD45Rb+T細胞群であって、宿主の主要組織適合抗原に対しては寛容だが宿主の1つまたは複数の副組織適合抗原に対しては免疫応答するT細胞群を、免疫能が低下した宿主動物に移植し；
少なくとも1つの炎症促進性サイトカインと少なくとも1つのポリクローナル活性化剤とを免疫能が低下した前記宿主動物に投与する操作
を含み、ここで、
前記宿主動物がヒト乾癬の特徴を有する疾患を発現することを特徴とする方法。
【請求項２】
前記T細胞群が、CD4+ CD45Rbhiであることを特徴とする、請求項１に記載の方法。
【請求項３】
前記ドナー動物と前記宿主動物でMHCが適合していることを特徴とする、請求項１に記載の方法。
【請求項４】
免疫能が低下した前記宿主動物が、免疫不全の囓歯類であることを特徴とする、請求項１に記載の方法。
【請求項５】
免疫不全の前記囓歯類が、scid/scidマウスであることを特徴とする、請求項４に記載の方法。
【請求項６】
前記炎症促進性サイトカインがインターロイキン-12（IL-12）であることを特徴とする、請求項１に記載の方法。
【請求項７】
前記IL-12の用量が、宿主の体重1gにつき少なくとも約0.1ng、かつ約2ngを超えないことを特徴とする、請求項６に記載の方法。
【請求項８】
前記IL-12を、前記T細胞群を移植してから約1日後と約3日後に投与することを特徴とする、請求項７に記載の方法。
【請求項９】
前記ポリクローナル活性化剤が、内毒素であることを特徴とする、請求項１に記載の方法。
【請求項１０】
前記内毒素の用量が、宿主の体重1gにつき約0.1μg〜約5μgであることを特徴とする、請求項９に記載の方法。
【請求項１１】
前記ポリクローナル活性化剤が、スーパー抗原であることを特徴とする、請求項１に記載の方法。
【請求項１２】
前記スーパー抗原が、細菌のスーパー抗原であることを特徴とする、請求項１１に記載の方法。
【請求項１３】
前記スーパー抗原の用量が、宿主の体重1gにつき約0.1μg〜約5μgであることを特徴とする、請求項１２に記載の方法。
【請求項１４】
乾癬治療の候補となる治療法の効果をスクリーニングするための方法であって、
ドナー動物に由来する精製したCD45Rb+T細胞群であって、宿主の主要組織適合抗原に対しては寛容だが宿主の1つまたは複数の副組織適合抗原に対しては免疫応答するT細胞群を、少くとも１の免疫能が低下した宿主動物に移植し；
少なくとも1つの炎症促進性サイトカインと少なくとも1つのポリクローナル活性化剤とを免疫能が低下した前記宿主動物に投与することにより、前記宿主動物にヒト乾癬の特徴を有する疾患を発現させ、
前記宿主動物を、候補となる前記治療法で治療し、
該治療法を適用した場合の疾患の程度を決定する操作を含み、
ここで対照の動物と比較した場合の治療した動物における疾患の程度の軽減が、治療の効果を示していることを特徴とする方法。
【請求項１５】
前記T細胞群が、CD4+ CD45Rbhiであることを特徴とする、請求項１４に記載の方法。
【請求項１６】
前記ドナー動物と前記宿主動物でMHCが適合していることを特徴とする、請求項１４に記載の方法。
【請求項１７】
前記治療法が、候補となる薬剤を用いた治療であることを特徴とする、請求項１４に記載の方法。
【請求項１８】
候補となる前記薬剤が、モノクローナル抗体であることを特徴とする、請求項１７に記載の方法。
【請求項１９】
前記抗体が、インターフェロン-γ、インターロイキン-12、E-セレクチン、P-セレクチン、CD3、αEインテグリン・サブユニットからなるグループの中から選択した抗原と結合することを特徴とする、請求項１８に記載の方法。
【請求項２０】
免疫能が低下した前記動物が、免疫不全のマウスまたはラットであることを特徴とする、請求項１４に記載の方法。
【請求項２１】
免疫能が低下した前記動物が、scid/scidマウスであることを特徴とする、請求項２０に記載の方法。
【請求項２２】
前記炎症促進性サイトカインが、インターロイキン-12であることを特徴とする、請求項１４に記載の方法。
【請求項２３】
前記ポリクローナル活性化剤が、内毒素であることを特徴とする、請求項１４に記載の方法。
【請求項２４】
前記ポリクローナル活性化剤が、スーパー抗原であることを特徴とする、請求項１４に記載の方法。
【請求項２５】
乾癬にかかっている患者を治療するための医薬組成物であって、インターフェロン-γ、インターロイキン-12、E-セレクチン、P-セレクチン、CD3、又はαEインテグリン・サブユニットからなるグループの中から選択した抗原と結合する抗体を含む前記組成物。
【請求項２６】
前記抗体が、ヒト化抗体であることを特徴とする、請求項２５に記載の医薬組成物。
【請求項２７】
前記抗体が、HuZAF抗体、HuEP5C7抗体、またはHuM291抗体であることを特徴とする、請求項２６に記載の医薬組成物。
【請求項２８】
副組織適合抗原が適合していないネズミのCD4+ CD45Rbhi T細胞を移植し、炎症促進性リンホカインとポリクローナル・リンパ球活性化剤とを投与することによって乾癬様症候群を呈するようにされた免疫不全のマウス。
【請求項２９】
乾癬を患っている患者のPASIを少なくとも50％低下させるための医薬組成物であって、インターロイキン-12を中和にするモノクローナル抗体を含む前記医薬組成物。
【請求項３０】
前記抗体が、ヒト化抗体またはヒト抗体であることを特徴とする、請求項２９に記載の医薬組成物。
【手続補正書】
【提出日】平成15年8月28日(2003.8.28)
【手続補正１】
【補正対象書類名】明細書
【補正対象項目名】特許請求の範囲
【補正方法】変更
【補正の内容】
【特許請求の範囲】
【請求項１】
ネットワーク中の端局間にリザーブされた接続を行う装置において、
前記端局とパケット通信を行い、予め定められたリザーベーションプロトコルにしたがったリザーブされた接続に対するリクエストを含むパケットを検出するように構成されているスイッチと、
シグナリングチャンネルを介して前記スイッチと通信するように構成されているエンタープライズ制御点とを具備し、
前記エンタープライズ制御点は前記スイッチからリザーブされた接続に関するリクエストされた情報を受取り、ネットワーク中の少なくとも１つの通路を識別して受信された情報に応じて端局間のリザーブされた接続を満足させることのできる通路に沿ってリソースをリザーブするように構成されていることを特徴とする装置。
【請求項２】
予め定められたリザーベーションプロトコルはＲＳＶＰである請求項１記載の装置。
【請求項３】
端局は予め定められたリザーベーションプロトコルを介して通信することが可能である請求項１記載の装置。
【請求項４】
前記端局はホストおよび／またはルータを含んでいる請求項１記載の装置。
【請求項５】
ネットワーク中の端局間にリザーブされた接続を行う方法において、
予め定められたリザーベーションプロトコルにしたがったリザーブされた接続に対するリクエストを含むパケットを検出し、
検出されたリクエスト情報をエンタープライズ制御点へ転送し、
ネットワーク中の少なくとも１部分内におけるリクエストされたリザーブされた接続を設定することができる端局間のパスを識別し、
リクエストされたリザーブされた接続を設定するように通路に沿ってリソースをリザーブすることを特徴とする方法。
【請求項６】
前記ネットワークは構内ネットワークおよび広域ネットワークの１つを含んでいる請求項５記載の方法。
【請求項７】
予め定められたリザーベーションプロトコルはＩＥＥＥ８０２．ＩＰ／Ｑフレームフォーマットである請求項１１記載の方法。
【請求項８】
ネットワーク中のリクエストしているホストと目的地ホストとの間のリザーブされた接続を設定する装置において、
リクエストしているホストおよび目的地ホストとパケット通信し、リソースリザーベーションリクエストに応答してスイッチリソースを秘密にするように構成されたスイッチと、
シグナリングチャンネルを介してリクエストしているホストおよび前記スイッチと通信するように構成されたエンタープライズ制御点とを具備し、
前記エンタープライズ制御点はリクエストしているホストからのリザーブされた接続に関するリクエスト情報を受信し、ネットワーク中の少なくとも１つの通路を識別し，受信されたリクエスト情報に応答してリクエストしているホストと目的地ホストとの間のリザーブされた接続を満足させることのできる通路に沿ってリソースをリザーブするように前記スイッチに対してリソースリザーブリクエストを発生するように構成され、
前記エンタープライズ制御点はさらに、予め定められたリザーベーションプロトコルによって受信されたリクエスト情報に基づいた優先値を使用してリクエストしているホストに目的地ホストと通信させるように構成されていることを特徴とする装置。
【請求項９】
ネットワーク中のリクエストしているホストと目的地ホストとの間のリザーブされた接続を設定する方法において、
リクエストしているホストからエンタープライズ制御点にリザーブされた情報を通信し、
ネットワーク中の少なくとも１部分内のリクエストされリザーブされた接続を設定することができるリクエストしているホストと目的地ホストとの間の通路を識別し、
リクエストされたリザーブされた接続を設定するように通路に沿ってリソースをリザーブし、
予め定められたリザーベーションプロトコルにより、リクエスト情報に基づいた優先値を使用してリクエストしているホストに目的地ホストと通信させることを特徴とする接続設定方法。
【請求項１０】
ネットワーク中の端局間の接続をリザーブするように構成されているエンタープライズ制御点において、
第１のシグナリングチャンネルを介してスイッチと通信し、このスイッチからリザーブされた接続に関するリクエスト情報を受信し、ネットワーク中の少なくとも１つの通路を識別し、受信されたリクエスト情報に応答して端局間にリザーブされた接続を設定することができる通路に沿ってリソースをリザーブするように構成され、
エンタープライズ制御点はさらに、
第１のシグナリングチャンネルを介してスイッチと通信するように構成されているシグナリングインターフェースと、
端局間のネットワーク素子と通路のリストを構成し、更新するように構成されている通路／装置発見ユニットと、
前記シグナリングインターフェースと前記通路／装置発見ユニットとに結合された接続制御装置とを具備し、
この接続制御装置は前記端局間のネットワーク素子および通路のリストに基づいて受信されたリクエスト情報に応答して端局間のリザーブされた接続を開始および終了させるように構成されていることを特徴とするエンタープライズ制御点。
【請求項１１】
ネットワーク素子および対応するスイッチコマンダを有する広帯域ネットワーク（ＷＡＮ）を介して構内ネットワーク（ＬＡＮ）中の端局間のリザーブされた接続を管理するように構成されているネットワーク制御システムサーバにおいて、
シグナリングネットワークを介してＬＡＮからリザーブされた接続に対するリクエストを受信するように構成されたシグナリングインターフェースと、
各スイッチコマンダにリザーブされた接続コマンドを与え、対応するネットワーク素子内のリソースを監視するように構成されたスイッチモニタと、
シグナリングインターフェースからのリザーブされた接続に対するリクエストを処理し、ＬＡＮ間のリザーブされた接続に対する通路を評価し、選択するためにスイッチモニタと共同して動作するように構成されている経路制御装置とを具備していることを特徴とするネットワーク制御システムサーバ。
【請求項１２】
ネットワーク素子および対応するスイッチコマンダを有する広域ネットワーク（ＷＡＮ）を介して構内ネットワーク（ＬＡＮ）間のリザーブされた接続を開始および、または終了させる方法において、
予め定められたリザーベーションプロトコルにしたがってＬＡＮの第１のものの中のリクエストしている端局からＬＡＮの第２のものの中の目的地端局へのリザーブされた接続に対するリクエストを含むパケットを検出し、
検出されたリクエスト情報を第１のＬＡＮ内のエンタープライズ制御点に転送し、
ネットワーク制御システムサーバを介して第１のＬＡＮからの検出されたリクエスト情報を転送し、
ＷＡＮの少なくとも１部分を含む通路をネットワーク制御システムサーバによりＬＡＮ間のリザーブされた接続に対して選択し、
選択された通路に対応するＷＡＮの部分に対応するスイッチコマンダに対してリザーブされた接続コマンドを与えることを特徴とする方法。
【手続補正書】
【提出日】平成15年7月25日(2003.7.25)
【手続補正１】
【補正対象書類名】明細書
【補正対象項目名】特許請求の範囲
【補正方法】変更
【補正の内容】
【特許請求の範囲】
【請求項１】
浮動型キャリパブレーキ又は浮動型フレームブレーキであって、該ブレーキの構成要素の機械的な振動によって変形して電圧を発生させる少なくとも１つの圧電要素（４６、５２）を有する浮動型キャリパブレーキ又は浮動型フレームブレーキにおいて、
前記機械的な振動が減衰されるような仕方にて、前記電圧が１つの圧電要素又は別の圧電要素に引加されるようになされていることを特徴とする、ブレーキ。
【請求項２】
請求項１に記載のブレーキにおいて、
少なくとも２つの圧電要素（４６、５２）が、ブレーキの周方向に沿ってある距離だけ互いに離れた位置に配置されることを特徴とする、ブレーキ。
【請求項３】
請求項２に記載のブレーキにおいて、
１つの圧電要素（４６）がブレーキの入側に配置され、別の圧電要素（５２）がブレーキの出側に配置されることを特徴とする、ブレーキ。
【請求項４】
ドラムブレーキであって、該ブレーキの構成要素の機械的な振動によって変形して電圧を発生させる少なくとも１つの圧電要素を有するドラムブレーキにおいて、
前記機械的な振動が減衰されるような仕方にて、前記電圧が１つの圧電要素又は別の圧電要素に引加されるようになされていることを特徴とする、ブレーキ。
【請求項５】
請求項１ないし４のいずれかに記載のブレーキにおいて、
インダクタ（４０）により、発生された周期的電圧と減衰目的のために印加される電圧との間の位相関係が調節可能となされていることを特徴とする、ブレーキ。
【請求項６】
請求項１ないし５のいずれかに記載のブレーキにおいて、
少なくとも１つの圧電要素が、少なくとも１つの電気共鳴回路内の容量要素として挿入され、前記共鳴回路が、減衰されるべき機械的振動数に調節される共鳴振動数を有することを特徴とする、ブレーキ。
【請求項７】
請求項５に記載のブレーキにおいて、
インダクタが、ブレーキの構成要素内で一体化され又は該構成要素の外部又は内部に取り付けられることを特徴とする、ブレーキ。
【請求項８】
請求項１ないし７のいずれかに記載のブレーキにおいて、
１つの圧電要素（４６）により発生された電圧が、選択的に、増幅させた後及び／又は位相を変位させた後に、減衰目的のため別の圧電要素（５２）に印加されることを特徴とする、ブレーキ。
【請求項９】
請求項１ないし８のいずれかに記載のブレーキにおいて、
少なくとも２つの圧電要素が共鳴回路内に挿入され、少なくとも１つの圧電要素が、減衰効果が主として減衰されるべき機械的振動周波数の領域内でその最大値となるような仕方にて調節されることを特徴とする、ブレーキ。
【請求項１０】
請求項１ないし９のいずれかに記載のブレーキにおいて、
圧電要素（４６、５２）が、ブレーキのブレーキ作用力の力束内に配置されることを特徴とする、ブレーキ。
【請求項１１】
請求項１ないし１０のいずれかに記載のブレーキにおいて、
少なくとも１つの圧電要素が、機械的に振動する構成要素の波腹に近い位置に配置されることを特徴とする、ブレーキ。
【請求項１２】
ディスクブレーキであって、該ブレーキの構成要素の機械的な振動によって変形して電圧を発生させる少なくとも１つの圧電要素（４６、５２）を有するディスクブレーキ用のブレーキパッドにおいて、
前記機械的な振動が減衰されるような仕方にて、前記電圧が１つの圧電要素又は別の圧電要素に引加されるようになされていることを特徴とする、ディスクブレーキ用のブレーキパッド。
【請求項１３】
ドラムブレーキであって、該ブレーキの構成要素の機械的な振動によって変形して電圧を発生させる少なくとも１つの圧電要素（４６、５２）を有するドラムブレーキ用のブレーキシューにおいて、
前記機械的な振動が減衰されるような仕方にて、前記電圧が１つの圧電要素又は別の圧電要素に引加されるようになされていることを特徴とする、ドラムブレーキ用のブレーキシュー。
【請求項１４】
ドラムブレーキであって、該ブレーキの構成要素の機械的な振動によって変形して電圧を発生させる少なくとも１つの圧電要素（４６、５２）を有するドラムブレーキ用のアンカープレートにおいて、
前記機械的な振動が減衰されるような仕方にて、前記電圧が１つの圧電要素又は別の圧電要素に引加されるようになされていることを特徴とする、ドラムブレーキ用のアンカープレート。
【誤訳訂正書】
【提出日】平成17年4月1日(2005.4.1)
【誤訳訂正１】
【訂正対象書類名】明細書
【訂正対象項目名】０００３
【訂正方法】変更
【訂正の内容】
【０００３】
ポリ−エンマクロライドは、十分な安定性を有する。しかし、酸素に対する安定性は、その単離ステップにおいて安定剤、例えば抗酸化剤の添加により実質的に改善され得ることが、今や発見された。
【手続補正書】
【提出日】平成15年7月31日(2003.7.31)
【手続補正１】
【補正対象書類名】明細書
【補正対象項目名】特許請求の範囲
【補正方法】変更
【補正の内容】
【特許請求の範囲】
【請求項１】
以下の式：
（Ａｉｂ8,35）ｈＧＬＰ−１（７−３６）ＮＨ2
の化合物、又はその製剤的に許容される塩。
【請求項２】
請求項１に記載の化合物又はその製剤的に許容される塩の有効量と製剤的に許容される担体又は希釈剤を含んでなる医薬組成物。
【請求項３】
請求項１に記載の化合物又はその製剤的に許容される塩の有効量と製剤的に許容される担体又は希釈剤を含んでなる、ＧＬＰ−１受容体からの作動薬効果を誘導するための医薬組成物。
【請求項４】
請求項１に記載の化合物又はその製剤的に許容される塩の有効量と製剤的に許容される担体又は希釈剤を含んでなる、Ｉ型糖尿病、ＩＩ型糖尿病、肥満、グルカゴノーマ、気道の分泌障害、代謝性障害、関節炎、骨粗鬆症、中枢神経系疾患、再狭窄及び神経変性疾患からなる群から選択される疾患を治療するための医薬組成物。
【請求項５】
前記疾患がＩ型糖尿病又はＩＩ型糖尿病である、請求項４に記載の医薬組成物。
【請求項６】
請求項１に記載の化合物の、疾患治療用医薬品の製造における使用。
【請求項７】
疾患がＩ型糖尿病、ＩＩ型糖尿病、肥満、グルカゴノーマ、気道の分泌障害、代謝性障害、関節炎、骨粗鬆症、中枢神経系疾患、再狭窄及び神経変性疾患からなる群から選択される、請求項６に記載の使用。
【手続補正書】
【提出日】平成16年12月15日(2004.12.15)
【手続補正１】
【補正対象書類名】明細書
【補正対象項目名】特許請求の範囲
【補正方法】変更
【補正の内容】
【特許請求の範囲】
【請求項１】  式（Ｉ）：
【化１】
2002531460.tif 000001
〔式中、
ｎおよびｍは、それぞれ独立に１または２であり；
Ｒ1は、ｎ＝１のとき、Ｃ1〜Ｃ18アルキル、１個もしくは数個の不連続のＯ原子によって中断されたＣ2〜Ｃ18アルキル；フェニル置換Ｃ1〜Ｃ4アルキル、Ｃ2〜Ｃ8アルケニル、フェニル、ナフチル、ビフェニル、Ｃ5〜Ｃ12シクロアルキルまたは５員もしくは６員のＯ−、Ｓ−もしくはＮ−含有複素環（フェニル、ナフチル、ビフェニル、Ｃ5〜Ｃ12シクロアルキルまたは５員もしくは６員のＯ−、Ｓ−もしくはＮ−含有複素環基は、非置換であるか、あるいは１〜５個のハロゲン、Ｃ1〜Ｃ8アルキル、Ｃ1〜Ｃ8アルキルチオおよび／またはＣ1〜Ｃ8アルコキシにより置換されている）であり；
Ｒ1は、ｎ＝２のとき、Ｃ1〜Ｃ18アルキレン、１個または数個の不連続のＯ原子によって中断されたＣ2〜Ｃ18アルキレンであるか；あるいはＲ1は、Ｃ1〜Ｃ4アルコキシ、フェニル、Ｃ1〜Ｃ4アルキルフェニル、フェニル−Ｃ1〜Ｃ4アルキルまたはＣ1〜Ｃ4アルコキシフェニルにより置換されているＣ1〜Ｃ6アルキレンであるか；あるいはＲ1は、フェニレンまたはキシリレン（これらの基は、非置換であるか、あるいは１〜３個のＣ1〜Ｃ4アルキルおよび／またはＣ1〜Ｃ4アルコキシにより置換されている）であるか；あるいはＲ1は、−ＣＨ2ＣＨ＝ＣＨＣＨ2−、−ＣＨ2−Ｃ≡Ｃ−ＣＨ2−、
【化２】
2002531460.tif 000002
で示される基であり；
Ｒ2は、Ｃ1〜Ｃ18アルキル、Ｃ3〜Ｃ12シクロアルキル、Ｃ2〜Ｃ18アルケニル、フェニル、ナフチル、ビフェニルまたは５員もしくは６員のＯ−、Ｓ−もしくはＮ−含有複素環（フェニル、ナフチル、ビフェニルまたは５員もしくは６員のＯ−、Ｓ−もしくはＮ−含有複素環基は、非置換であるか、あるいは１〜４個のＣ1〜Ｃ8アルキル、Ｃ1〜Ｃ8アルコキシ、Ｃ1〜Ｃ8アルキルチオおよび／またはハロゲンにより置換されている）であり；
Ｒ3は、Ｃ1〜Ｃ18アルキル、１個もしくは数個の不連続のＯ原子によって中断されたＣ2〜Ｃ18アルキル；フェニル置換Ｃ1〜Ｃ4アルキル、Ｃ2〜Ｃ8アルケニル、フェニル、ナフチル、ビフェニル、Ｃ5〜Ｃ12シクロアルキルまたは５員もしくは６員のＯ−、Ｓ−もしくはＮ−含有複素環（フェニル、ナフチル、ビフェニル、Ｃ5〜Ｃ12シクロアルキルまたは５員もしくは６員のＯ−、Ｓ−もしくはＮ−含有複素環基は、非置換であるか、あるいは１〜５個のハロゲン、Ｃ1〜Ｃ8アルキル、Ｃ1〜Ｃ8アルキルチオおよび／またはＣ1〜Ｃ8アルコキシにより置換されている）であり；
Ｑは、単結合、ＣＲ6Ｒ7、−Ｏ−または−Ｓ−であり；
Ｒ4およびＲ5は、それぞれ独立に、水素、Ｃ1〜Ｃ4アルキルまたはＣ1〜Ｃ4アルコキシであり；
Ｒ6およびＲ7は、それぞれ独立に、水素またはＣ1〜Ｃ4アルキルである〕
で示されるアシルホスフィン類の製造方法であって、
（１）式（II）：
【化３】
2002531460.tif 000003
〔式中、
Ｒ1、Ｒ3、ｎおよびｍは、上記と同義であり、そして
Ｙは、ＢｒまたはＣｌである〕
で示される有機ハロゲン化リンと、アルカリ金属またはリチウムと組み合わせたマグネシウム、もしくはこれらの混合物との、適宜、触媒の存在下での反応；ならびに
（２）これに続く式（III）：
【化４】
2002531460.tif 000004
〔式中、Ｒ2、Ｙおよびｍは、上記と同義である〕で示されるｍ個の酸ハロゲン化物との反応
による、中間体の単離を伴わずに実施される方法。
【請求項２】  式（IV）：
【化５】
2002531460.tif 000005
〔式中、
Ｒ1、Ｒ2、Ｒ3、ｎおよびｍは、請求項１と同義であり；そして
Ｚは、ＯまたはＳである〕
で示されるアシルホスフィンオキシド類およびアシルホスフィンスルフィド類の製造方法であって、
（１）式（II）：
【化６】
2002531460.tif 000006
〔式中、Ｒ1、Ｒ3、Ｙ、ｎおよびｍは、請求項１と同義である〕で示される有機ハロゲン化リンと、アルカリ金属またはリチウムと組み合わせたマグネシウム、もしくはこれらの混合物との、適宜、触媒の存在下での反応；ならびに
（２）これに続く式（III）：
【化７】
2002531460.tif 000007
〔式中、Ｒ2、ｍおよびＹは、請求項１と同義である〕で示されるｍ個の酸ハロゲン化物との反応；および
（３）反応（２）により得られる式（Ｉ）：
【化８】
2002531460.tif 000008
〔式中、Ｒ1、Ｒ2、Ｒ3、ｍおよびｎは、請求項１と同義である〕で示されるアシルホスフィンの酸化または硫黄との反応
による、中間体の単離を伴わずに実施される方法。
【請求項３】  反応（１）が、リチウム、ナトリウムまたはカリウムを使用して実施される、請求項１または請求項２記載の方法。
【請求項４】  ｍが２である、式（Ｉ）の化合物の製造には、４〜６原子当量のアルカリ金属を使用し、そしてｍが１である、式（Ｉ）の化合物の製造には、２〜３原子当量のアルカリ金属を使用する、請求項３記載の方法。
【請求項５】  式（III）の化合物中のＹが、クロロである、請求項１または請求項２記載の方法。
【請求項６】  触媒、好ましくはナフタレンまたはビフェニルの存在下で反応（１）を行う、請求項１または請求項２記載の方法。
【請求項７】  −２０〜＋１２０℃の温度範囲で、有機ハロゲン化リン（II）とアルカリ金属との反応（１）を行う、請求項１または請求項２記載の方法。
【請求項８】  金属化ホスフィンと酸塩化物（III）との反応（２）を、−２０〜＋８０℃で行う、請求項１または請求項２記載の方法。
【請求項９】  反応工程（１）および（２）を、同じ溶媒、好ましくはテトラヒドロフラン中で行う、請求項１または請求項２記載の方法。
【手続補正書】
【提出日】平成15年10月10日(2003.10.10)
【手続補正１】
【補正対象書類名】明細書
【補正対象項目名】発明の名称
【補正方法】変更
【補正の内容】
【発明の名称】サクランボバイオフラボノイドを使用するシクロオキシゲナーゼ及び炎症の抑制のための医薬組成物
【手続補正２】
【補正対象書類名】明細書
【補正対象項目名】特許請求の範囲
【補正方法】変更
【補正の内容】
【特許請求の範囲】
【請求項１】
サクランボから得られる少なくとも一種の化合物を含む、シクロオキシゲナーゼ又はプロスタグランジンＨシンターゼ酵素を抑制するための医薬組成物。
【請求項２】
サクランボから得られる少なくとも一種のバイオフラボノイド化合物を含む、シクロオキシゲナーゼ又はプロスタグランジンＨシンターゼ酵素を抑制するための医薬組成物。
【請求項３】
in vitroで使用される請求の範囲第１項又は第２項記載の医薬組成物。
【請求項４】
化合物がサクラ属からのものである請求の範囲第１項又は第２項に記載の医薬組成物。
【請求項５】
化合物がセイヨウミザクラ、サンカオウトウ、及びこれらの混合物からのものである請求の範囲第１項〜第４項のいずれか一項記載の使用。
【請求項６】
サクランボから得られる少なくとも一種の化合物を含む、哺乳類の炎症を抑制するための医薬組成物。
【請求項７】
哺乳類がヒトである請求の範囲第６項記載の医薬組成物。
【請求項８】
化合物が少なくとも一種のバイオフラボノイドを含む請求の範囲第６項又は第７項記載の医薬組成物。
【請求項９】
食品級キャリヤーと、サクラ属から単離されたアントシアニン、バイオフラボノイド及びフェノール系化合物の乾燥混合物を含む化合物とを含む請求の範囲第１項又は第６項記載の医薬組成物。
【請求項１０】
乾燥混合物対キャリヤーの比が約0.1:100〜100:0.1である請求の範囲第９項記載の医薬組成物。
【請求項１１】
化合物が食品に混入される請求の範囲第１項又は第６項記載の医薬組成物。
【請求項１２】
シアニジンを含むアントシアニンを含有する、哺乳類の炎症を抑制するための医薬組成物。
【請求項１３】
アントシアニンがサクラ属から得られる請求の範囲第１２項記載の医薬組成物。
【請求項１４】
アントシアニンがセイヨウミザクラ、サンカオウトウ、及びこれらの混合物から得られる請求の範囲第１２項記載の医薬組成物。
【請求項１５】
哺乳類がヒトである請求の範囲第１２項記載の医薬組成物。
【請求項１６】
アントシアニンが食品に混入される請求の範囲第１３項〜第１５項のいずれか一項記載の医薬組成物。
【請求項１７】
アントシアニンが実質的に純粋である請求の範囲第１３項〜第１６項のいずれか一項記載の医薬組成物。
【請求項１８】
サクラ属から得られるバイオフラボノイドを含む、哺乳類の炎症を抑制するための医薬組成物。
【請求項１９】
サクラ属から得られるフェノール系化合物を含む、哺乳類の炎症を抑制するための医薬組成物。
【手続補正書】
【提出日】平成15年7月22日(2003.7.22)
【手続補正１】
【補正対象書類名】明細書
【補正対象項目名】特許請求の範囲
【補正方法】変更
【補正の内容】
【特許請求の範囲】
【請求項１】
ウイルス感染を処置又は予防する方法であって、有効量のビュープロピオン又はビュープロピオンの生理学的に許容される塩、溶媒和化合物若しくは鏡像異性体を、それを必要とするヒト以外の動物に投与することを含んで成る方法。
【請求項２】
前記ウイルス感染がヘルペスウイルスによって起こされる、請求項１に記載の方法。
【請求項３】
前記ウイルス感染が帯状ヘルペス、単純ヘルペスウイルス１型、単純ヘルペスウイルス２型、口唇ヘルペス、ヒト及びマウスのサイトメガロウイルス、水痘帯状疱疹ウイルス、エプスタイン・バーウイルス及びヒトヘルペスウイルス、６型及び８型から成る群から選択されるウイルスによって起こされる、請求項１に記載の方法。
【請求項４】
前記ヘルペスウイルスが単純ヘルペスウイルスである、請求項２に記載の方法。
【請求項５】
前記単純ヘルペスウイルスが単純ヘルペスウイルス１型（ＨＳＶ１）である、請求項４に記載の方法。
【請求項６】
前記ヘルペスウイルスが口唇ヘルペスである、請求項２に記載の方法。
【請求項７】
ビュープロピオンが単位投与量当たり約０．１mg〜約５００mgの量で投与される、請求項１〜６のいずれか１項に記載の方法。
【請求項８】
ビュープロピオンが単位投与量当たり約２５mg〜約３００mgの量で投与される、請求項１〜６のいずれか１項に記載の方法。
【請求項９】
ビュープロピオンが単位投与量当たり約５０mg〜約１５０mgの量で投与される、請求項１〜６のいずれか１項に記載の方法。
【請求項１０】
ビュープロピオンの有効量が約５０〜２０００mgである、請求項１〜９のいずれか１項に記載の方法。
【請求項１１】
ビュープロピオンの有効量が約３００〜１２００mgである、請求項１〜９のいずれか１項に記載の方法。
【請求項１２】
ビュープロピオンの有効量が少なくとも２回の投与で投与される、請求項１０又は１１に記載の方法。
【請求項１３】
ビュープロピオンの有効量が少なくとも４回の投与で投与される、請求項１０又は１１に記載の方法。
【請求項１４】
ウイルス感染の予防又は処置のための、ビュープロピオン又は生理学的に許容されるその塩、溶媒和化合物若しくは鏡像異性体を含んで成る医薬組成物。
【請求項１５】
前記ウイルス感染がヘルペスウイルスによって起こされる、請求項１４に記載の組成物。
【請求項１６】
前記のウイルス感染が帯状ヘルペス、単純ヘルペスウイルス１型、単純ヘルペスウイルス２型、口唇ヘルペス、ヒト及びマウスのサイトメガロウイルス、水痘帯状疱疹ウイルス、エプスタイン・バーウイルス及びヒトヘルペスウイルス、６型及び８型から成る群から選択されるウイルスによって起こされる、請求項１４に記載の組成物。
【請求項１７】
前記ヘルペスウイルスが単純ヘルペスウイルスである、請求項１５に記載の組成物。
【請求項１８】
前記単純ヘルペスウイルスが単純ヘルペスウイルス１型（ＨＳＶ１）である、請求項１７に記載の組成物。
【請求項１９】
前記ヘルペスウイルスが口唇ヘルペスである、請求項１５に記載の組成物。
【請求項２０】
ビュープロピオンが単位投与量当たり約０．１mg〜約５００mgの量で前記薬剤中に存在する、請求項１４〜１９のいずれか１項に記載の組成物。
【請求項２１】
ビュープロピオンが単位投与量当たり約２５mg〜約３００mgの量で前記薬剤中に存在する、請求項１４〜１９のいずれか１項に記載の組成物。
【請求項２２】
ビュープロピオンが単位投与量当たり約５０mg〜約１５０mgの量で前記薬剤中に存在する、請求項１４〜１９のいずれか１項に記載の組成物。
【請求項２３】
有効量のビュープロピオンが約５０mg〜約２０００mgである、請求項１４〜１９のいずれか１項に記載の組成物。
【請求項２４】
有効量のビュープロピオンが約３００mg〜約１２００mgである、請求項１４〜１９のいずれか１項に記載の組成物。
【請求項２５】
有効量のビュープロピオンが経口剤形として調製される、請求項１に記載の方法。
【請求項２６】
ビュープロピオンが別の抗ウイルス剤と組み合わせて投与される、請求項１に記載の方法。
【請求項２７】
前記抗ウイルス剤がアシクロビルである、請求項２６に記載の方法。
【請求項２８】
経口剤形として調製される、請求項１４に記載の組成物。
【手続補正書】
【提出日】平成16年8月20日(2004.8.20)
【手続補正１】
【補正対象書類名】明細書
【補正対象項目名】特許請求の範囲
【補正方法】変更
【補正の内容】
【特許請求の範囲】
【請求項１】  エタノールの含量が約１．５〜約３％である、アジスロマイシンのエタノール付加物。
【請求項２】  水の含量が約２〜約４％である、請求項１に記載のエタノール付加物。
【請求項３】  水の含量が約２．５〜約３．５％である、請求項２に記載のエタノール付加物。
【請求項４】  エタノールの含量が約１．５〜約２．５％である、請求項１に記載のエタノール付加物。
【請求項５】  水の含量が約２〜約４％である、請求項４に記載のエタノール付加物。
【請求項６】  水の含量が約１．５〜約２．５％である、請求項５に記載のエタノール付加物。
【請求項７】  粉末Ｘ線回折パターンが実質的に図２に示す通りである、アジスロマイシンのエタノール付加物。
【請求項８】  下記の過程を含んで成る、アジスロマイシンのエタノール付加物を作成する方法：
アジスロマイシンをエタノール中に溶解すること；
アジスロマイシンの結晶化が始まり、そして懸濁液を形成する様に、そのアジスロマイシン溶液に水を加えること；及び
アジスロマイシンの結晶を単離すること。
【請求項９】  前記懸濁液を約３０〜約８０℃の温度で一定時間維持する過程を更に含んで成る、請求項８に記載の方法。
【請求項１０】  前記懸濁液に更に水を加え、そしてその懸濁液を約３０〜約８０℃の温度で約１〜約１８時間保持する、請求項９に記載の方法。
【請求項１１】  アジスロマイシンの結晶を単離する前に、前記懸濁液を約２０℃に冷却する、請求項１０に記載の方法。
【請求項１２】  当該エタノール付加物のエタノール含量が約１．５〜約３％である、請求項８に記載の方法。
【請求項１３】  当該エタノール付加物の水含量が約２〜約４％である、請求項１２に記載の方法。
【請求項１４】  当該エタノール付加物の粉末Ｘ線回折パターンが実質的に図２に示す通りである、請求項８に記載の方法。
【請求項１５】  治療上有効な量の請求項１に記載のエタノール付加物及び医薬上容認される担体を含んで成る、医薬組成物。
【手続補正書】
【提出日】平成16年3月16日(2004.3.16)
【手続補正１】
【補正対象書類名】明細書
【補正対象項目名】特許請求の範囲
【補正方法】変更
【補正の内容】
【特許請求の範囲】
【請求項１】  バックグランド・ノイズを含む補聴器入力信号中のスピーチ信号成分を増強する方法であって、前記入力信号を少なくとも１つの高周波数帯域、少なくとも１つの低周波数帯域、および前記高周波数帯域と前記低周波数帯域の間の少なくとも１つの中間周波数帯域を有する少なくとも３つの周波数帯域に分割するステップと、前記低周波数帯域と前記中間周波数帯域内の前記バックグランド・ノイズのレベルを評価するステップと、前記バックグランド・ノイズのスケルチングを提供するために、評価した前記バックグランド・ノイズのレベルに応じて前記低周波数帯域および前記中間周波数帯域におけるゲインを調整するステップとを有し、
前記高周波数帯域内のスピーチ信号成分の内容を評価するステップと、前記バックグランド・ノイズのスケルチングを減少させ、これにより前記中間周波数帯域内で生じるスピーチ信号成分の内容を増強するために、前記中間周波数帯域内の前記バックグランド・ノイズ評価に応じて決定される前記ゲイン調整を修正するステップとを有することを特徴とする方法。
【請求項２】  前記分割後に、前記入力信号が、前記周波数帯域の各々においてディジタル信号処理を受けることを特徴とする請求項１に記載の方法。
【請求項３】  前記バックグランド・ノイズのレベルと前記スピーチ信号成分の内容の評価がパーセンタイル評価によって実行されることを特徴とする請求項２に記載の方法。
【請求項４】  補聴器用の信号処理装置であって、バックグランド・ノイズが存在するスピーチ信号成分を含む入力信号を受信する手段と、前記入力信号を、少なくとも１つの高周波数帯域（Ｃ）、少なくとも１つの低周波数帯域（Ａ）、および前記高周波数帯域と前記低周波数帯域の間の少なくとも１つの中間周波数帯域（Ｂ）を有する少なくとも３つの周波数帯域に分割する手段（３）と、前記低周波数帯域と前記中間周波数帯域におけるバックグランド・ノイズのレベルを評価する手段（５、７）と、前記バックグランド・ノイズのスケルチングを提供するために、前記評価したバックグランド・ノイズのレベルに応じて、前記低周波数帯域および前記中間周波数帯域における前記ゲインを調整する手段（４）とを有するものにおいて、
前記高周波数帯域内のスピーチ信号成分の内容を評価し、前記バックグランド・ノイズのスケルチングを減少させ、これにより前記１つの中間周波数帯域内で生じる前記スピーチ信号成分の内容を増強するために、前記中間周波数帯域における前記バックグランド・ノイズの評価に応じて決定される前記ゲイン調整を修正する手段（６、８）を備えたことを特徴とする補聴器用信号処理装置。
【請求項５】  前記評価手段が、バックグランド・ノイズのレベルとスピーチ信号成分の内容を評価するためのパーセンタイル評価装置手段（12、13）を有することを特徴とする請求項４に記載の補聴器用信号処理装置。
【手続補正書】
【提出日】平成15年12月2日(2003.12.2)
【手続補正１】
【補正対象書類名】明細書
【補正対象項目名】特許請求の範囲
【補正方法】変更
【補正の内容】
【特許請求の範囲】
【請求項１】
電池式電気モータによって駆動される手持ち形リベット打ち工具であって、油圧作動式リベット打ちヘッドと、電気モータによって駆動される油圧ポンプとを含み、
モータを作動させた時、モータが前記油圧ポンプを駆動して、前記リベット打ちヘッドを作動させ、
トリガのような工具起動装置および油圧流体用のタンクを含み、
前記ポンプから前記リベット打ちヘッドまで延びた油圧供給管が、
常時開放して油圧流体を供給管から前記タンクへ流入させることができるタンク入口弁によって、前記タンクに接続されており、
前記工具起動装置を作動させると、最初に前記タンク入口弁が閉鎖された後、前記電気モータがオンになって前記ポンプを作動させるリベット打ち工具。
【請求項２】
前記工具起動装置を解放すると、最初に前記電気モータがオフになって前記ポンプの作動を停止させ、次に前記タンク入口弁が開放する請求項１記載のリベット打ち工具。
【請求項３】
前記タンク入口弁は、前記工具起動装置の上記作動によって閉鎖された時、油圧流体の超過圧力を逃がす圧力逃がし弁としても作用する請求項１または２記載のリベット打ち工具。
【請求項４】
前記タンク入口弁は、第１の所定力を有する第１ばねによって閉鎖状態に付勢され、
第２の所定力を有する第２ばねによって開放状態に付勢されており、
前記工具起動装置の作動によって第２の所定力の作用が除去され、
これにより、それ以降、前記工具起動装置の持続した作動に関係なく、前記弁は第１の所定力によって閉鎖状態に保持され、
それによって、前記弁が前記圧力逃がし弁として作用する所定の圧力を与えることができるようにした請求項３記載のリベット打ち工具。
【請求項５】
前記リベット打ちヘッドは、ブラインドブレークステムリベットを打ち込むことができる請求項１〜４のいずれか一項に記載のリベット打ち工具。
【請求項６】
上記のように前記リベット打ちヘッドを作動させるために前記モータを作動させてからオフにした後、前記リベット打ちヘッドは、前記ヘッド作動手段から独立した手段によって初期位置へ戻る請求項１〜５のいずれか一項に記載のリベット打ち工具。
【請求項７】
前記ヘッドは、ばねによって初期位置へ戻る請求項６記載のリベット打ち工具。
【請求項８】
前記電気モータは、使用時に、一方向だけに回転する請求項１〜７のいずれか一項に記載のリベット打ち工具。
【請求項９】
前記油圧ポンプは、往復動ポンプである請求項１〜８のいずれか一項に記載のリベット打ち工具。
【手続補正書】
【提出日】平成16年1月15日(2004.1.15)
【手続補正１】
【補正対象書類名】明細書
【補正対象項目名】請求項１
【補正方法】変更
【補正の内容】
【請求項１】
ホルダー本体（３、３’）、少なくも１個のノズル（２、２’）、熱作動型解放手段（１８，１８’）、及びカバーを備えたスプリンクラーであって、カバーは、保護位置において，スプリンクラーが非作動モードにあるときは解放手段を機械式に保護するために前記ノズルの前面に固定され（１４、１７、１４’、１７’）、そしてスプリンクラーが作動モードにあるときは解放手段が暴露され解放手段の解放後にノズルが消火用媒体を噴出できるようにノズルを邪魔しない解放位置に移動可能であり、ホルダー本体は消火用媒体の到来用の入口（５、５’）を備え，ホルダー本体（３、３’）に関して移動可能な装置（６，６’）でありかつ流体圧力下でホルダー本体に関して移動させられて固定機構（１４、１７、１４’、１７’）に力を加えて固定機構を解放させこれによりカバーを前記解放位置に移動させ解放手段（１８、１８’）を露出させてスプリンクラーを待機モード、即ち解放手段（１８、１８’）が熱に反応してスプリンクラーを解放させこれを作動モードに置き得るように完全状態にある待機モードに置く前記移動可能な装置を備えることを特徴とするスプリンクラー。
【手続補正書】
【提出日】平成17年1月26日(2005.1.26)
【手続補正１】
【補正対象書類名】明細書
【補正対象項目名】特許請求の範囲
【補正方法】変更
【補正の内容】
【特許請求の範囲】
【請求項１】  最大酸素摂取量（VO2MAX）を間接的に査定するために装置を操作する方法であって、
（a）ECGから検出されたRR間隔の長さを２４時間にわたって保存し；
（b）保存された長さから２８８個の５分間隔の中でのR-R間隔の平均長さをコンピューターで算出し；そして
（c）工程（b）において決定された２８８個の平均の標準偏差をコンピュータで算出しVO2MAXと関連する心拍数変動性（HRV）指数を出す
諸工程を含む前記方法。
【請求項２】  運動能力に対するペーシングの所与モードの効力を査定するために装置を操作する方法であって
（a）操作の第一モードを含む第一の予め定められた時間にわたってECG波形を前記装置のメモリーに記録し；
（b）第一の予め定められた時間の複数の予め定められたセグメント中の前記波形におけるR-R間隔の平均長さを測定し；
（c）複数の前記セグメント平均の標準偏差をコンピュータで算出してHRV指数を出し；
（d）前記第一の予め定められた時間の後の時間において工程（b）〜（d）を繰返し；そして
（e）前記第一の予め定められた時間において記録されたECG波形に関連して工程（d）においてコンピュータで算出されたHRV指数を、前記後続時間において記録されたECG波形に関連して工程（d）においてコンピュータで算出されたHRV指数と比較する
諸工程を含む前記方法。
【請求項３】  さらに、固定された予め定められた時間間隔におけるHRV指数のプロットを創出する工程を含む、請求項１または２の方法。
【請求項４】  対象の最大酸素摂取量（VO2MAX）を間接的に査定するために装置を操作する方法であって、
（a）前記装置においてECG波形からRR間隔を検知し記録し；そして
（b）RR間隔をVO2MAXに関連させる値を計算する
諸工程を含む前記方法。
【手続補正書】
【提出日】平成16年8月2日(2004.8.2)
【手続補正１】
【補正対象書類名】図面
【補正対象項目名】図１５ｇ・ｈ
【補正方法】変更
【補正の内容】
【図１５ｇ・ｈ】
2003511187.tif 000001
【手続補正２】
【補正対象書類名】図面
【補正対象項目名】図２６
【補正方法】変更
【補正の内容】
【図２６】
2003511187.tif 000002
【手続補正３】
【補正対象書類名】図面
【補正対象項目名】図３３ｅ・ｆ
【補正方法】削除
【補正の内容】
【手続補正４】
【補正対象書類名】図面
【補正対象項目名】図３４ｅ・ｆ
【補正方法】追加
【補正の内容】
【図３４ｅ・ｆ】
2003511187.tif 000003
【手続補正５】
【補正対象書類名】図面
【補正対象項目名】図４５
【補正方法】変更
【補正の内容】
【図４５】
2003511187.tif 000004
【手続補正書】
【提出日】平成16年9月8日(2004.9.8)
【手続補正１】
【補正対象書類名】明細書
【補正対象項目名】請求項６
【補正方法】変更
【補正の内容】
【請求項６】  空気案内ユニット（５）がガラス、合成樹脂または他の適当な材料から作られていることを特徴とする請求項１〜５のいずれか一つに記載の呼吸制御式吸入器。
【手続補正２】
【補正対象書類名】明細書
【補正対象項目名】００１６
【補正方法】変更
【補正の内容】
【００１６】
本発明の根底をなす課題は更に、空気流の加速が、球冠に似た窪みの形をした、空気案内ユニット内の横断面縮小部によって行われ、この窪みが本体のそれぞれ向き合う壁部から空気案内ユニットの流路内に交互に延びていることによって解決される。この特別な方法における空気循環と、流れ案内は、個々の乾燥粉末粒子の効果的な渦発生を可能にする。空気の運動は粒子を均一にまき散らし、吸入の瞬間に最適な分配混合を保証する。